(57)【要約】      （修正有）【課題】汗を吸収しつつ、汗染みが目立ちにくい衣類を提供する。【解決手段】前身頃生地２と後身頃生地３とが縫着されて、脇部６が形成された衣類。前身頃生地２の幅は、後身頃生地３の幅よりも長く、前身頃生地２と後身頃生地３との境界線である縫着線Ｆ１が、脇の中心線Ｆ２より後側に位置する。脇部６には、汗取り用の生地５が縫着される。汗取り用の生地５の一部は、前身頃生地２及び後身頃生地３に縫着線Ｆ１によって縫着されている。【選択図】図２
0003229475.tif 000002
【実用新案登録請求の範囲】
【請求項１】
前身頃生地（２）と後身頃生地（３）とが縫着されて、脇部（６）が形成された衣類において、
前記前身頃生地（２）の幅（Ｄ１）は、前記後身頃生地（３）の幅（Ｄ２）よりも長く、
前記前身頃生地（２）と前記後身頃生地（３）との境界線である縫着線（Ｆ１）が、脇の中心線（Ｆ２）より後側に位置し、
前記脇部（６）には、汗取り用の生地（５）が縫着され、
前記汗取り用の生地（５）の一部は、前記前身頃生地（２）及び前記後身頃生地（３）に前記縫着線（Ｆ１）によって縫着されている
ことを特徴とする衣類（１）。
【請求項２】
前記脇の中心線（Ｆ２）から前記縫着線（Ｆ１）まで距離（ｄ）は、２０ｍｍ以上である
ことを特徴とする請求項１に記載の衣類（１）。
【請求項３】
前記前身頃生地（２）の幅（Ｄ１）は、前記後身頃生地（３）の幅（Ｄ２）よりも４０ｍｍ以上長い
ことを特徴とする請求項１に記載の衣類（１）。
【請求項４】
前記汗取り用の生地（５）は、前記脇部（６）において前記前身頃生地（２）のみに重ねられて縫着されている
ことを特徴とする請求項１〜３のいずれか一項に記載の衣類（１）。
【請求項５】
前記汗取り用の生地（５）は、三角形状又は台形状である
ことを特徴とする請求項１〜４のいずれか一項に記載の衣類（１）。
【請求項６】
前記脇部（６）は、脇ぐり（６１）を有し、
前記汗取り用の生地（５）は、前記脇ぐり（６１）に沿った形状の端部を有する
ことを特徴とする請求項１〜５のいずれか一項に記載の衣類（１）。
【考案の詳細な説明】
【技術分野】
【０００１】
本考案は、衣類に関する。
【背景技術】
【０００２】
従来、脇からの汗を吸収するためのパッドを有する衣類が知られている。パッドは、脇に接しやすいように、身頃の脇ぐり部から突出するように設けられることがある（例えば特許文献１参照）。
【先行技術文献】
【特許文献】
【０００３】
【特許文献１】実用新案登録第３２０７９３５号
【考案の概要】
【考案が解決しようとする課題】
【０００４】
通常、衣類は前身頃と後身頃から構成され、前身頃と後身頃は脇で縫着されるため、縫着線が脇の中心に位置する。縫着線上に汗が溜まりやすく、線状の汗染みが生じて外観上目立つことがある。
【０００５】
本考案は、汗を吸収しつつ、汗染みが目立ちにくい衣類の提供を目的とする。
【課題を解決するための手段】
【０００６】
本考案の一態様は、前身頃生地（２）と後身頃生地（３）とが縫着されて、脇部（６）が形成された衣類である。前身頃生地（２）の幅は、後身頃生地（３）の幅よりも長く、前身頃生地（２）と後身頃生地（３）との境界線である縫着線（Ｆ１）が、脇の中心線（Ｆ２）より後側に位置する。脇部（６）には、汗取り用の生地（５）が縫着される。汗取り用の生地（５）の一部は、前身頃生地（２）及び後身頃生地（３）に縫着線（Ｆ１）によって縫着されている。
【考案の効果】
【０００７】
本考案によれば、汗を吸収しつつ、汗染みが目立ちにくい衣類を提供することができる。
【図面の簡単な説明】
【０００８】
【図１】図１は、キャミソールを前身頃生地側から示す平面図である。
【図２】図２は、キャミソールを後身頃生地側から示す平面図である。
【図３】図３は、脇部を内側から示す平面図である。
【考案を実施するための形態】
【０００９】
以下、本考案の衣類の実施の形態について、図面を参照して説明する。以下に説明する構成は本考案の一例（代表例）であり、本考案はこれに限定されない。
【００１０】
なお本明細書において、上とは図面中の方向Ｙ１をいい、下とは図面中の方向Ｙ２をいう。右とは図面中の方向Ｘ１をいい、左とは図面中の方向Ｘ２をいう。前とは図面中の方向Ｚ１をいい、後とは図面中の方向Ｚ２をいう。また内側とは着用者に接する側をいい、外側とは内側と反対側をいう。
【００１１】
図１及び図２は、衣類の一実施形態であるキャミソール１を示す。
本実施形態のキャミソール１は、前身頃生地２、後身頃生地３、１対のストラップ４及び汗取り用の生地５を備える。
【００１２】
前身頃生地２の左右の側端は、後身頃生地３の左右の側端と縫着される。縫着された前身頃生地２及び後身頃生地３は、着用者をその胴回り方向に覆う。
【００１３】
前身頃生地２の上部は、ストラップ４を介して後身頃生地３の上部と接続される。ストラップ４は、着用者の肩に掛けられる。
【００１４】
本実施形態において、ストラップ４はテープ状であり、前身頃生地２の襟ぐり２ａ及び後身頃生地３の襟ぐり３ａに縫着される。ストラップ４はアジャスター４ａを有し、その長さの調整が可能である。
【００１５】
前身頃生地２及び後身頃生地３の下端は、内側に折り返され、折り返し部分が着用者の胴周り方向に縫着される。
【００１６】
キャミソール１は、着用者の脇付近に位置する脇部６を有する。脇部６は、前身頃生地２及び後身頃生地３の縫着により形成される。脇部６は、脇ぐり６１を有する。
【００１７】
着用者が、ストラップ４と脇ぐり６１の間に腕を通してキャミソール１を着用したとき、脇部６が脇によって挟まれる。脇部６には、汗取り用の生地５が設けられる。
【００１８】
前身頃生地２の幅Ｄ１は、後身頃生地３の幅Ｄ２よりも長い。そのため、前身頃生地２と後身頃生地３との境界線である縫着線Ｆ１が、着用者の脇の中心線Ｆ２より後側に位置する。
【００１９】
幅Ｄ１及びＤ２は、胴回り方向における長さをいう。脇の中心線Ｆ２は、前身頃生地２の前中心と後身頃生地３の前中心とを合わせてキャミソール１を平置きしたときの、キャミソール１の左右の側端の線をいう。
【００２０】
縫着線Ｆ１の位置を脇の中心線Ｆ２に合わせると、汗取り用の生地５により汗を吸収する前に縫着線Ｆ１において汗が吸収される。縫着線Ｆ１では複数の生地が重なるため、縫着線Ｆ１において脇からの汗が溜まり、線状の汗染みが生じやすい。
【００２１】
しかし、上記のように縫着線Ｆ１の位置を脇の中心線Ｆ２から後側にずらすことにより、汗取り用の生地５を脇の位置に配置することができる。縫着線Ｆ１に到達する前に、汗取り用の生地５により汗を吸収することができ、線状の汗染みの発生を効果的に抑えることができる。
【００２２】
汗染みをより抑制する観点からは、脇の中心線Ｆ２から縫着線Ｆ１までの距離ｄは、２０ｍｍ以上であることが好ましく、３０ｍｍ以上がより好ましい。距離ｄが長いほど汗染みを抑制しやすいが、距離ｄは通常１００ｍｍ以下である。
【００２３】
同様の観点から、前身頃生地２の幅Ｄ１は、後身頃生地３の幅Ｄ２よりも４０ｍｍ以上長いことが好ましく、６０ｍｍ以上長いことがより好ましい。幅Ｄ１と幅Ｄ２の差が大きいほど汗染みを抑制しやすいが、その差は通常２００ｍｍ以下である。
【００２４】
図３は、脇部６を内側から示す。
汗取り用の生地５は、縫着線Ｆ１によって前身頃生地２及び後身頃生地３に縫着されている。縫着線Ｆ１によって３つの生地を縫着するため、縫着作業が容易となる。
【００２５】
汗取り用の生地５を設けるため、前身頃生地２と後身頃生地３との間に着用者の左右の側部を覆う中間生地が挿入されることがある。この場合、前身頃生地２と中間生地とを縫着し、さらに中間生地と後身頃生地３とを縫着するため、合計４本の縫着線を形成する必要がある。
【００２６】
本実施形態によれば、前身頃生地２と後身頃生地３との縫着線Ｆ１上に汗取り用の生地５を重ねて、３つの生地２、３及び５を一度に縫着すればよい。したがって、２本の縫着線Ｆ１の形成により汗取り用の生地５を設けることができ、中間生地を設ける場合に比べて縫着作業が半減する。
【００２７】
本実施形態において、汗取り用の生地５は、前身頃生地２のみに重ねられて縫着されている。すなわち、汗取り用の生地５は、縫着線Ｆ１より前側の領域に配置される。縫着線Ｆ１より前側の領域は、腕の構造上、着用者の脇が位置しやすい領域であるため、脇からの汗を汗取り用の生地５によって吸収しやすい。
【００２８】
汗取り用の生地５は、少なくともその一部が前身頃生地２及び後身頃生地３に縫着されていればよい。本実施形態において、汗取り用の生地５の後側の端部が縫着線Ｆ１によって前身頃生地２及び後身頃生地３に縫着されている。
【００２９】
脇部６において、汗取り用の生地５の上端は外側に折り込まれ、内側に折り込まれた前身頃生地２の上端に縫着される。折り込み部分の内側において縫着されるため、外観上縫い目が見えず、デザイン性が高い。
【００３０】
このように、汗取り用の生地５は、脇部６の脇ぐり６１に沿った形状の端部を有することが好ましい。このような形状の生地５は、脇ぐり６１から突出しないため、汗取り用の生地５の存在が外観から分かりにくく、デザイン性が高い。
【００３１】
汗取り用生地５の前側の端部は前身頃生地２及びストラップ４に縫着される。一方、汗取り用の生地５の下端は、前身頃生地２及び後身頃生地３のいずれにも縫着されていない。身頃上に縫着線が形成されず、縫着線に沿って線状の汗染みが生じることも、縫い目が見えることもないため、キャミソール１のデザイン性が向上する。
【００３２】
汗取り用の生地５は台形状であり、脇ぐり６１、縫着線Ｆ２等に生地５の端部の位置を合わせやすいが、形状は台形に限定されない。例えば汗が生じやすい脇部６の領域に合わせて、汗取り用の生地５を三角形状とすることもできる。
【００３３】
以上のように、本実施形態のキャミソール１によれば、前身頃生地２の幅Ｄ１が後身頃生地３の幅Ｄ２より長く、縫着線Ｆ１が脇の中心線Ｆ１より後側に位置する。よって、脇部６に汗取り用の生地５を設けたときに、縫着線Ｆ１ではなく汗取り用の生地５を脇の中心線Ｆ１上に配置することができる。
【００３４】
縫着線Ｆ１より先に汗取り用の生地５によって汗を吸収させることができるため、縫着線Ｆ１に汗が溜まって線状の汗染みが生じることを抑えることができる。したがって、汗を吸収しつつ、汗染みが目立ちにくいキャミソール１を提供することができる。
【００３５】
また汗取り用の生地５の一部は、縫着線Ｆ１によって前身頃生地２及び後身頃生地３に縫着される。縫着線Ｆ１の数を減らすことができ、縫着作業が容易である。
【００３６】
以上、本考案の好ましい実施形態について説明したが、本考案は、これらの実施形態に限定されず、その要旨の範囲内で種々の変形及び変更が可能である。
【００３７】
例えばキャミソール１の例を説明したが、タンクトップ、ワンピース、袖のあるＴシャツ等、脇部６を有する衣類であれば、本考案を適用することができる。
【符号の説明】
【００３８】
１・・・キャミソール、２・・・前身頃生地２、３・・・後身頃生地、５・・・汗取り用の生地、６・・・脇部、Ｆ１・・・縫着線、Ｆ２・・・脇の中心線
【図１】
0003229475.tif 000003
【図２】
0003229475.tif 000004
【図３】
0003229475.tif 000005